【事件の表示】
　平成　４年商標登録願第３０２０７８号拒絶査定に対する審判事件について、次のとおり審決する。
【結　論】
　本件審判の請求は、成り立たない。
【理　由】
１　本願商標
　本願商標は、別掲の（１）に表示したとおりの構成よりなり、平成４年１０月１６日に登録出願、第３類「米糠を原料素材とする化粧品」を指定商品とするものである。
　
２　原査定の理由
　原査定は、登録異議の結果「登録異議申立人（以下『申立人』という。）は、平成２年４月頃から登録第２７１５２３４号商標（以下『引用商標』という。）を使用して『洗糠（糠袋）』の販売を開始し（甲第１２号証）、この事実が平成３年５月頃から本願出願前にかけて、女性誌等に紹介されていることが認められる（甲第３０号証ないし同第３５号証）。そして、平成２年には３０万個、同３年には６０万個の販売実績があったとの記事も見受けられる（甲第３２号証）。また、この間引用商標を使用した４種類のリ一フレットを作成し約９万枚使用したと主張している（甲第１４号証ないし同第１７号証）。さらに、甲第７６号証によれば、平成５年の予想としてではあるが、申立人の『美人ぬか』が『米糠』の部として、ブランド別シェアで第２位、２５．０パーセントのシェアを占めることが見込まれている。以上の事実を総合すれば、引用商標は、『洗糠（糠袋）』に使用された結果、本願の出願前には、その取引者、需要者の間において周知、著名な商標として認識されるに至っていたと推認することができ、出願人の答弁によってもこの事実を覆すことはできない。出願人は、周知性獲得には、宣伝広告手段が少なく、また使用期間が短い旨反論しているが、近時の情報化時代において、しかも洗糠のように単品で需要者、取引者の範囲が広くない商品にあっては、そのことのみをもって周知、著名性の取得を否定するのは相当でない。しかして、本願商標『美人ぬか』と引用商標の要部『美人ぬか』とは称呼、観念を同じくし、また、本願の指定商品『米糠を原料素材とする化粧品』と引用商標の使用商品『洗糠（糠袋）』とは、取引者、需要者を共通にする場合が多いと認められるものである。してみれば、本願商標は、これが指定商品に使用された場合、商品が互いに非類似のものであるとしても、引用商標の著名性の故に、該商品が申立人又は申立人と何等かの関係を有する者の製造、販売に係る商品の如くその出所について混同を生ずるおそれがあると判断するのが相当である。したがって、本願商標は商標法第４条第１項第１５号に該当するから、本件登録異議申立ては理由がある。」旨、認定判断した平成９年９月９日付け登録異議の決定に記載した理由により、本願を拒絶したものである。
　
３　請求人の主張
　請求人は、「引用商標は実質的な販売は平成３年より行われたものと推認でき、本願出願日である『平成４年１０月１６日』までの使用期間は僅かに約１年１０ヶ月にすぎないもの。上記期間内における引用商標使用の『洗糠（糠袋）』の販売実績は平成３年度：約３６万本／年、平成４年度：約３０万本／年にすぎない。雑誌への掲載は甲第３０号証ないし同第３５号証と僅かに６件にすぎず、『著名性』を有しない旨の反証となり得るものである。リーフレットの使用は平成３年１月からであり、その使用期間は本願出願日『平成４年１０月１６日』までの僅か１年１０ヶ月程度にすぎないのみならず、その使用枚数も『約９万枚』を下回るもの。甲第７６号証は『洗糠（糠袋）』のみならず『化粧品』を含めたブランド別シュアを示すに留まり、『洗糠（糠袋）』のみのブランド別シェアを示すものでない点からみて、『使用期間』『販売数量』『広告宣伝の方法・回数・内容』等があまりにも貧弱であり、『著名性』を獲得したとは云えない。さらに付言すれば、拒絶査定の理由において引用商標の要部を『美人ぬか』と認定されているが、引用商標は『縦長な長方形輪郭内に略変形楕円状の図形が描かれると共に、その両側外周に一対の尾長鶏とおぼしき動物図形が縁取り状に描かれ、同下部に竜の落し子とおぼしき図形が偏平輪状に連続して描かれた』特別顕著な図形中に『美人ぬか』の文字が一体不可分に配されたレトロ調のものであってみれば、全体として『著名性』獲得の有無を判断すべきものであり、殊更に『美人ぬか』の文字のみに拘泥する必然性は全くないものである。本願商標は商標法第４条第１項第１５号の規定に該当するものではない。」旨を主張して、証拠方法として甲第１号証を提出した。
　
４　当審の判断
（１）本願商標と引用商標の類否について、
　本願商標は、別掲の（１）に示したとおり「美人ぬか」の文字を縦書きしてなるものであるから、「ビジンヌカ」の称呼及び「美人ぬか」の観念を生ずることは明らかである。
　他方、引用商標は、別掲の（２）に示したとおり「美人ぬか」の文字部分が中央に縦書きしてあり、その文字部分のまわりを飾るように図形が描かれている構成からは、「美人ぬか」の文字部分が取引者・需要者に強い印象を与えるものと認められるものであって、この文字部分を捉えて取引に資されることが多いものと認められるから、この文字部分は、独立して自他商品の識別標識としての機能を果たすものと認められる。
　そうすると、引用商標は、自他商品の識別標識として機能する「美人ぬか」の文字部分から「ビジンヌカ」の称呼及び「美人ぬか」の観念を生ずるものと認められるから、本願商標と引用商標は、「ビジンヌカ」の称呼及び「美人ぬか」の観念を共通にする類似の商標といわざるをえない。
（２）引用商標の周知・著名性について
　申立人提出の甲第１２号証ないし同第７６号証、同第８７号証ないし同第９０号証を総合すると、引用商標は、申立人が「洗糠」のみならず「純米シャンプー」、「化粧品（純米水ドライスキン，純米水オイリースキン，純米洗顔，純米トリートメント，純米ふきとり水，純米乳液，純米パック）」について使用した結果、本願商標の登録出願の時に取引者・需要者の間に既に広く認識されていたことが以下の事実より認められ、その周知・著名性は現在も継続していることが推認できるものである。
　すなわち、引用商標は、申立人提出の甲第１３号証ないし同第２９号証のカタログ、リーフレット、パンフレットにおいて「洗糠」、「シャンプー」、「化粧品」に使用していることが認められる。
　そして、引用商標を使用した前記の商品は、本願商標の登録出願前において「洗糠」が６１５，４７３個（平成３年が３６８，３１３個、平成４年は２２７，１６０個（月平均２５，２４０個×１月から９月までの出荷個数））、「純米シャンプー，化粧品（純米水ドライスキン，純米水オイリースキン，純米洗顔，純米トリートメント，純米ふきとり水，純米乳液，純米パック）」が５２８，７４４個と大量に取引されていることが申立人提出の甲第７４号証により認められる。
　また、取引先も全国に及んでいることが申立人提出の甲第７５号証により認められる。
　さらに、引用商標を使用した前記の商品は、申立人提出の株式会社マガジンハウス（１９９１年５月１７日発行）「ａｎ・ａｎ」（甲第３０号証）、光文社（平成３年１１月１日発行）「ＣＬＡＳＳＹ　１１月号」（甲第３１号証）、日経ＢＰ社（１９９２年４月１０日発行）「日経ギフト　４月号」（甲第３２号証）、集英社（平成４年２月３日発行）「セブンティーン・２月３日号」（甲第３３号証）、（株）主婦の友社（平成４年８月１日発行）「レイ８月号」（甲第３４号証）、三起商行株式会社（平成４年６月１日発行）「マンスリー・ミキハウス　６月号」（甲第３５号証）に広告又は商品の紹介記事が掲載されており、これら雑誌は、申立人提出の甲第６８号証の株式会社大広（１９９４年１２月号）「雑誌の発行部数と読者特性」によれば主として女性が購読者であって、それぞれ相当大量に発行され購読されていたものと認められる。加えて、申立人提出の甲第１３号証ないし同第２９号証のカタログ、リーフレット、パンフレットは、「洗糠，純米シャンプー，化粧品（純米水ドライスキン，純米水オイリースキン，純米洗顔，純米トリートメント，純米ふきとり水，純米乳液，純米パック）」の商品が本願商標の登録出願前に大量に取引されていたことからすれば、相当の数が頒布されたものと推認できる。
　そして、引用商標を使用した商品は、その後も「せっけん類，化粧品」について多くの種類の商品に使用され、平成５年が２，０８０，４７４個、平成６年が３，１０２，７４８個、平成７年が２，７４５，０７７個、平成８年が２，３４４，０３９個と大量に取引されていることが申立人提出の甲第７４号証において認められる。また、雑誌、ラジオ、新聞による宣伝広告（申立人提出の甲第３６号証ないし同第６７号証、同第６９号証ないし同第７３号証、同第８７号証ないし同第９０号証）も大量に行われたことが認められる。
（３）そうすると、本願商標は、別掲の（１）に示すとおり「美人ぬか」の文字を縦書きしてなるものであり、前記周知・著名な引用商標の「美人ぬか」と同じ文字を書してなるものであるから、本願商標をその指定商品「米糠を原料素材とする化粧品」に使用した場合には、前記実情からして、これに接する取引者・需要者は、引用商標を想起・連想し、該商品が申立人又は同人と組織的・経済的に何らかの関係を有する者の業務に係る商品であるかのように出所について混同を生じさせるおそれがあるものといわざるを得ない。
　したがって、本願商標は、商標法第４条第１項第１５号に該当するとして、本願を拒絶した原査定は、妥当なものであって取り消すべき限りでない。
　よって、結論のとおり審決する。